(57)【要約】【課題】端子カバーを開けずに通信状態を確認することができる電力量計を提供する。【解決手段】電力量を計量する計量装置１と、外部との通信状態を表示する通信状態表示部８を有し計量装置１で計量された電力量データを外部に送信する通信部と、計量装置１に取付可能に構成され、通信状態表示部８に対応する位置に透明部６が形成された端子カバー２と、通信状態確認時には透明部６を通して通信状態表示部８を視認させ、通信状態確認時以外には透明部６を覆い隠して通信状態表示部８を視認不可能にさせるスライド部４，スライド部固定部５ａ，５ｂとを備える。【選択図】図２
2019168241.tif 000002
【特許請求の範囲】
【請求項１】
電力量を計量する計量装置と、
外部との通信状態を表示する通信状態表示部を有し前記計量装置で計量された電力量データを外部に送信する通信部と、
前記計量装置に取付可能に構成され、前記通信状態表示部に対応する位置に透明部が形成された端子カバーと、
通信状態確認時には前記透明部を通して前記通信状態表示部を視認させ前記通信状態確認時以外には前記透明部を覆い隠して前記通信状態表示部を視認不可能にさせる通信状態視認機構部と、
を備えることを特徴とする電力量計。
【請求項２】
前記通信状態視認機構部は、前記端子カバーに形成され、前記透明部を覆い隠すようにスライドするスライド部と、
前記端子カバーに形成され、前記透明部が設けられ且つ前記スライド部をスライドさせる第１スライド固定部と、
前記端子カバーに形成され、前記スライド部を前記端子カバーに取り付け且つ前記スライド部をスライドさせる第２スライド固定部と、
を備えることを特徴とする請求項１記載の電力量計。
【請求項３】
前記通信状態視認機構部は、前記端子カバーに形成され、前記透明部及び前記通信状態表示部に対応する位置に形成された穴部と、
前記穴部を覆うように前記穴部に取り付け可能で且つ前記穴部から取り外し可能な取外部とを有し、
前記取外部には、前記穴部に埋め込まれて前記穴部に引掛かるテーパ状の爪部と、前記爪部が形成された側とは反対側の位置に形成された突起部とが設けられていることを特徴とする請求項１記載の電力量計。
【請求項４】
前記通信状態視認機構部は、前記端子カバーに形成され、前記透明部及び前記通信状態表示部に対応する位置に形成されためねじと、
前記めねじに取り付け可能で且つ前記めねじから取り外し可能な取外部とを有し、
前記取外部には、前記めねじと螺合するおねじと、前記おねじを回転させる取手部とが設けられていることを特徴とする請求項１記載の電力量計。
【請求項５】
前記通信状態視認機構部は、前記端子カバーに形成された凸部と、
前記端子カバーに取り付け可能で且つ前記端子カバーから取り外し可能な取外部とを有し、
前記取外部には、円柱状の取外本体と、前記取外本体に形成され且つ前記凸部と嵌合する凹部と、前記取外本体に形成され且つ前記取外本体を回転させるための回転部材が挿入される溝部とが設けられていることを特徴とする請求項１記載の電力量計。
【請求項６】
前記通信状態視認機構部は、前記透明部を隠すシールからなることを特徴とする請求項１記載の電力量計。
【請求項７】
前記通信状態視認機構部は、前記透明部に取り付けられた第１の磁石と、
前記端子カバーに取り付け可能で且つ前記端子カバーから取り外し可能な取外部とを有し、
前記取外部には、前記第１の磁石と対向して配置され且つ前記第１の磁石とは極性の異なる第２の磁石が設けられていることを特徴とする請求項１記載の電力量計。
【発明の詳細な説明】
【技術分野】
【０００１】
本発明は、端子カバーとケースとを備えた電力量計に関し、特に、検針員が端子カバーを開けずに通信状態を確認することができる技術に関する。
【背景技術】
【０００２】
電力量計は、計量装置と、計量装置に取り付けられる通信部及び端子カバーを備えている。計量装置で計量された電力量を外部に送信する通信部は、通信状態を表示する通信状態表示部を備えている。
【０００３】
このように構成された電力量計を設置した後に、通信部による外部との通信状態がエラーになることがある。この場合、検針員が検針時に端子カバーをその都度開けて、通信状態表示部により通信状態を確認していた。
【先行技術文献】
【特許文献】
【０００４】
【特許文献１】特開２００１−４２０１９号公報
【発明の概要】
【発明が解決しようとする課題】
【０００５】
通信状態がエラーになった場合、端子カバーをその都度開けて、通信状態表示部により通信状態を確認していたため、作業性が悪かった。
【０００６】
本発明の課題は、端子カバーを開けずに通信状態を確認することができる電力量計を提供する。
【課題を解決するための手段】
【０００７】
上記課題を解決するために、本発明に係る請求項１の電力量計は、電力量を計量する計量装置と、外部との通信状態を表示する通信状態表示部を有し前記計量装置で計量された電力量データを外部に送信する通信部と、前記計量装置に取付可能に構成され、前記通信状態表示部に対応する位置に透明部が形成された端子カバーと、通信状態確認時には前記透明部を通して前記通信状態表示部を視認させ前記通信状態確認時以外には前記透明部を覆い隠して前記通信状態表示部を視認不可能にさせる通信状態視認機構部とを備えることを特徴とする。
【０００８】
請求項２の電力量計は、前記通信状態視認機構部は、前記端子カバーに形成され、前記透明部を覆い隠すようにスライドするスライド部と、前記端子カバーに形成され、前記透明部が設けられ且つ前記スライド部をスライドさせる第１スライド固定部と、前記端子カバーに形成され、前記スライド部を前記端子カバーに取り付け且つ前記スライド部をスライドさせる第２スライド固定部とを備えることを特徴とする。
【０００９】
請求項３の電力量計は、前記通信状態視認機構部は、前記端子カバーに形成され、前記透明部及び前記通信状態表示部に対応する位置に形成された穴部と、前記穴部を覆うように前記穴部に取り付け可能で且つ前記穴部から取り外し可能な取外部とを有し、前記取外部には、前記穴部に埋め込まれて前記穴部に引掛かるテーパ状の爪部と、前記爪部が形成された側とは反対側の位置に形成された突起部とが設けられていることを特徴とする。
【００１０】
請求項４の電力量計は、前記通信状態視認機構部は、前記端子カバーに形成され、前記透明部及び前記通信状態表示部に対応する位置に形成されためねじと、前記めねじに取り付け可能で且つ前記めねじから取り外し可能な取外部とを有し、前記取外部には、前記めねじと螺合するおねじと、前記おねじを回転させる突起部とが設けられていることを特徴とする。
【００１１】
請求項５の電力量計は、前記通信状態視認機構部は、前記端子カバーに形成された凸部と、前記端子カバーに取り付け可能で且つ前記端子カバーから取り外し可能な取外部とを有し、前記取外部には、円柱状の取外本体と、前記取外本体に形成され且つ前記凸部と嵌合する凹部と、前記取外本体に形成され且つ前記取外本体を回転させるための回転部材が挿入される溝部とが設けられていることを特徴とする。
【００１２】
請求項６の電力量計は、前記通信状態視認機構部は、前記透明部を隠すシールからなることを特徴とする。
【００１３】
請求項７の電力量計は、前記通信状態視認機構部は、前記透明部に取り付けられた第１の磁石と、前記端子カバーに取り付け可能で且つ前記端子カバーから取り外し可能な取外部とを有し、前記取外部には、前記第１の磁石と対向して配置され且つ前記第１の磁石とは極性の異なる第２の磁石が設けられていることを特徴とする。
【発明の効果】
【００１４】
本発明によれば、通信状態視認機構部は、通信状態確認時には透明部を通して通信状態表示部を視認させ通信状態確認時以外には透明部を覆い隠して通信状態表示部を視認不可能にさせるので、端子カバーを開けずに通信状態を確認することができる。
【図面の簡単な説明】
【００１５】
【図１】本発明の実施例１に係る電力量計の通信状態視認機構部を正面に設置した図である。
【図２】実施例１に係る電力量計の端子カバーの背面図である。
【図３】実施例１に係る電力量計の端子カバーの背面の展開図である。
【図４】実施例１に係る電力量計の通信状態視認機構部を側面に設置した図である。
【図５】実施例２に係る電力量計の通信状態視認機構部を正面に設置した図である。
【図６】実施例２の通信状態視認機構部の詳細な構成図である。
【図７】実施例２の通信状態視認機構部を端子カバーに固定した状態での断面図である。
【図８】実施例２に係る電力量計の通信状態視認機構部を側面に設置した図である。
【図９】実施例３に係る電力量計の通信状態視認機構部を正面に設置した図である。
【図１０】実施例３に係る電力量計の通信状態視認機構部の詳細な構成を示す図である。
【図１１】実施例３に係る電力量計の通信状態視認機構部を側面に設置した図である。
【図１２】実施例４に係る電力量計の通信状態視認機構部を正面に設置した図である。
【図１３】実施例４に係る電力量計の通信状態視認機構部の詳細な構成を示す図である。
【図１４】実施例４に係る電力量計の通信状態視認機構部を側面に設置した図である。
【図１５】実施例５に係る電力量計の通信状態視認機構部を正面に設置した図である。
【図１６】実施例５に係る電力量計の通信状態視認機構部を側面に設置した図である。
【図１７】実施例６に係る電力量計の通信状態視認機構部を正面に設置した図である。
【図１８】実施例６に係る電力量計の通信状態視認機構部の詳細な構成を示す図である。
【図１９】実施例６に係る電力量計の通信状態視認機構部を側面に設置した図である。
【発明を実施するための形態】
【００１６】
以下、本発明の実施の形態に係る電力量計について、図面を参照しながら詳細に説明する。
【００１７】
（実施例１）
図１（ａ）は、実施例１に係る電力量計の通信状態視認機構部を正面に設置した正面図である。図１（ｂ）は、実施例１に係る電力量計の通信状態視認機構部を正面に設置した斜視図である。図２は、端子カバー２の背面図、図３は、端子カバー２の背面の展開図である。
【００１８】
電力量計は、電力量を計量する計量装置、計量装置で計量された電力量データを外部に送信する通信部及び外部との通信状態を表示する通信状態表示部８を有する計量装置１と、計量装置１に取付可能に構成され、通信状態表示部８に対応する位置に透明部６が形成された端子カバー２とを備えている。計量装置１には、計量装置１で計量された電力量データを表示する表示器３が設けられている。
【００１９】
端子カバー２には、通信状態確認時に透明部６を通して通信状態表示部８を視認させ、通信状態確認時以外に透明部６を覆い隠して通信状態表示部８を視認不可能にさせるスライド部４、スライド部固定部５ａ、スライド部固定部５ｂが設けられている。スライド部４、スライド部固定部５ａ、スライド部固定部５ｂは、本発明の通信状態視認機構部を構成する。
【００２０】
スライド部４は、透明部６を覆い隠すようにスライド部固定部５ａとスライド部固定部５ｂをスライドするもので、直方体状のスライド本体４ａと、スライド本体４ａから突起し且つスライド本体４ａを手で掴むための突起部４ｂとからなる。
【００２１】
スライド部固定部５ａは、本発明の第１スライド固定部に対応し、透明部６が設けられ且つスライド部４をスライドさせて透明部６を覆い隠す。スライド部固定部５ｂは、本発明の第２スライド固定部に対応し、スライド部４をねじ７で端子カバー２に形成された穴９に取り付けている。
【００２２】
スライド部固定部５ｂは、スライド部４がスライド部固定部５ａとスライド部固定部５ｂをスライドできるように、スライド部固定部５ａに対向した位置に配置されている。スライド部固定部５ｂには、長方形状の開口部５ｃが形成されるとともに、板状のスライド本体４ａがスライド可能で且つスライド部４が外れないようにＬ字型レール状の溝部５ｄが形成されている。
【００２３】
このように構成された実施例１の電力量計によれば、図２に示す背面図から見て、スライド部４は、スライド部固定部５ａの位置にあるため、スライド部４が透明部６を覆い隠して、通信状態表示部８を視認不可能にさせた状態である。
【００２４】
通信状態を確認したい場合には、スライド部４に形成された突起部４ｂを手で持ち、スライド部４を左側に移動すると、スライド部４は、スライド部固定部５ｂに形成された溝部５ｄをスライドするので、透明部６を通して通信状態表示部８を視認できるようになる。従って、端子カバー２を開けずに通信状態を確認することができる。
【００２５】
また、通信状態確認時以外には、突起部４ｂを手で持ち、スライド部４を右側に移動すると、スライド部４は、スライド部固定部５ｂに形成された溝部５ｄをスライドするので、スライド部４により透明部６が覆い隠され、通信状態表示部８を視認できないようにすることができる。
【００２６】
図４に通信状態視認機構部を電力量計の側面に設置した図を示す。通信状態視認機構部を電力量計の側面に設置した場合も、通信状態視認機構部を電力量計の正面に設置した図１の場合の動作と同様であるので、その説明は省略する。
【００２７】
（実施例２）
図５は、実施例２に係る電力量計の通信状態視認機構部を正面に設置した図である。図６は、実施例２の通信状態視認機構部の詳細な構成図である。図７は、実施例２の通信状態視認機構部を端子カバー２に固定した状態での断面図である。
【００２８】
通信状態視認機構部として、図７に示すように、端子カバー２には、透明部６及び計量装置１に形成された通信状態表示部８に対応する位置に穴部２ａが形成されている。端子カバー２には、穴部２ａの近傍に引掛部２ｃと透明部６を取り囲む突起部２ｂが形成されている。
【００２９】
また、通信状態視認機構部として、穴部２ａを覆うように穴部２ａに取り付け可能で且つ穴部２ａから取り外し可能な取外部１０が設けられている。取外部１０には、穴部２ａに埋め込まれて穴部２ａの近傍の引掛部２ｃに引掛かるテーパ状の細長い爪部１２ａ，１２ｂと、爪部１２ａ，１２ｂが形成された側とは反対側の位置に形成された四角形状の突起部１３とが設けられている。
【００３０】
このように構成された実施例２の電力量計によれば、通信状態確認時には、突起部１３を手で持ち上げることにより、爪部１２ａ，１２ｂが引掛部２ｃから外れるので、取外部１０を穴部２ａから取り外すことができる。従って、通信状態表示部８を視認可能にさせることができる。
【００３１】
一方、通信状態確認時以外には、突起部１３を手で持ち、爪部１２ａ，１２ｂを穴部２ａに押し込み、爪部１２ａ，１２ｂの先端を引掛部２ｃに引っ掛ける。これにより、取外部１０が穴部２ａを覆うので、通信状態表示部８を視認させないようにすることができる。
【００３２】
図８に通信状態視認機構部を電力量計の側面に設置した図を示す。通信状態視認機構部を電力量計の側面に設置した場合も、通信状態視認機構部を電力量計の正面に設置した図５の場合の動作と同様であるので、その説明は省略する。
【００３３】
（実施例３）
図９は、実施例３に係る電力量計の通信状態視認機構部を正面に設置した図である。図１０は、通信状態視認機構部の詳細な構成を示す図である。
【００３４】
通信状態視認機構部として、図９に示すように、端子カバー２には、透明部６及び計量装置１に形成された通信状態表示部８に対応する位置にめねじ１７が形成されている。
【００３５】
また、通信状態視認機構部として、めねじ１７に取り付け可能で且つめねじ１７から取り外し可能な円柱体からなる取外部１４が設けられている。取外部１４には、円柱体部分にめねじ１７と螺合するおねじ１６と、おねじ１６を回転させる突起部からなる直方体状の取手部１５が設けられている。
【００３６】
このように構成された実施例３の電力量計によれば、通信状態確認時には、取外部１４の取手部１５を手で持ち、反時計方向に回転させると、めねじ１７と螺合していたおねじ１６も反時計方向に回転して、取外部１４がめねじ１７から外れる。従って、通信状態表示部８を視認可能にさせることができる。
【００３７】
通信状態確認時以外には、取外部１４のおねじ１６をめねじ１７と螺合させて時計方向に回転させると、取外部１４が端子カバー２に取り付けられる。従って、通信状態表示部８を視認させないようにすることができる。
【００３８】
図１１に通信状態視認機構部を側面に設置した図を示す。通信状態視認機構部を電力量計の側面に設置した場合も、通信状態視認機構部を電力量計の正面に設置した図９の場合の動作と同様であるので、その説明は省略する。
【００３９】
（実施例４）
図１２は、実施例４に係る電力量計の通信状態視認機構部を正面に設置した図である。図１３は、実施例４に係る電力量計の通信状態視認機構部の詳細な構成を示す図である。
【００４０】
通信状態視認機構部として、端子カバー２には、透明部６及び計量装置１に形成された通信状態表示部８に対応する位置に２つの穴部２ａが形成されるとともに、穴部２ａには凸部２ｄが形成されている。２つの穴部２ａは、互いに略１８０度だけ異なる位置に形成されている。
【００４１】
また、通信状態視認機構部として、端子カバー２に取り付け可能で且つ端子カバー２から取り外し可能な取外部１９が設けられている。取外部１９は、円柱体（取付本体）からなり、円柱体には２つの凸部２ｄと嵌合する２つの凹部２１が形成されている。また、円柱体には、円柱体を回転させるための六角レンチ（回転部材）が挿入される六角形の溝部からなる六角部２２が形成されている。
【００４２】
このように構成された実施例４の電力量計によれば、通信状態確認時には、図示しない六角レンチを六角部２２に挿入して、六角レンチを反時計方向に回転させることで、取外部１９を反時計方向に回転させて、取外部１９に形成された凹部２１と端子カバー２に形成された凸部２ｄとを合わせて取外部１９を穴部２ａから取り外す。従って、通信状態表示部８を視認可能にさせることができる。
【００４３】
通信状態確認時以外には、六角レンチを六角部２２に挿入して、六角レンチを時計方向に回転させることで、取外部１９を時計方向に回転させて、取外部１９を穴部２ａに取り付ける。従って、通信状態表示部８を視認させないようにすることができる。
【００４４】
図１４に通信状態視認機構部を側面に設置した図を示す。通信状態視認機構部を電力量計の側面に設置した場合も、通信状態視認機構部を電力量計の正面に設置した図１２の場合の動作と同様であるので、その説明は省略する。
【００４５】
（実施例５）
図１５は、実施例５に係る電力量計の通信状態視認機構部を正面に設置した図である。図１５に示すように、通信状態視認機構部として、透明部６を隠すシール２３を設けたことを特徴とする。
【００４６】
このように構成された実施例５の電力量計によれば、通信状態確認時には、透明部６に貼り付けられたシール２３を剥すことで、透明部６を通して通信状態表示部８を視認させることができる。
【００４７】
通信状態確認時以外には、シール２３を透明部６に貼り付け、透明部６を隠すことで、通信状態表示部８を視認させないようにすることができる。
【００４８】
図１６に通信状態視認機構部を側面に設置した図を示す。通信状態視認機構部を電力量計の側面に設置した場合も、通信状態視認機構部を電力量計の正面に設置した図１５の場合の動作と同様であるので、その説明は省略する。
【００４９】
（実施例６）
図１７は、実施例６に係る電力量計の通信状態視認機構部を正面に設置した図である。図１８は、実施例６に係る電力量計の通信状態視認機構部の詳細な構成を示す図である。通信状態視認機構部として、透明部６に磁石２８（第１の磁石）を取り付けている。また、通信状態視認機構部として、端子カバー２に取り付け可能で且つ端子カバー２から取り外し可能な蓋状の取外部２５を設けている。
【００５０】
取外部２５の一方の面には、手で持つための取手部が形成され、取外部２５の他方の面には、磁石２８とは極性の異なる磁石２７（第２の磁石）が設けられている。極性が異なるとは、一方の磁石がＮ極であれば、他方の磁石がＳ極である。
【００５１】
このように構成された実施例６の電力量計によれば、通信状態確認時には、取外部２５を端子カバー２から取り外すことで、透明部６を通して通信状態表示部８を視認させることができる。
【００５２】
通信状態確認時以外には、取外部２５を透明部６に近づけることで、取外部２５に取り付けられた磁石２７と透明部６に取り付けられた磁石２８とが吸引される。これにより、取外部２５が磁石２８と透明部６とを隠すので、通信状態表示部８を視認させないようにすることができる。
【００５３】
図１９に通信状態視認機構部を側面に設置した図を示す。通信状態視認機構部を電力量計の側面に設置した場合も、通信状態視認機構部を電力量計の正面に設置した図１７の場合の動作と同様であるので、その説明は省略する。
【符号の説明】
【００５４】
１  計量装置
２  端子カバー
２ａ  穴部
２ｂ  突起部
２ｃ  引掛部
２ｄ  凸部
３  表示器
４  スライド部
５ａ，５ｂ  スライド部固定部
６  透明部
７  ねじ
８  通信状態表示部
１０，１４，１９，２５  取外部
１２ａ，１２ｂ  爪部  
１３  突起部
１５，２６  取手部
１６  おねじ
１７  めねじ
２１  凹部
２２  六角部
２３  シール
２７，２８  磁石
【図１】
2019168241.tif 000003
【図２】
2019168241.tif 000004
【図３】
2019168241.tif 000005
【図４】
2019168241.tif 000006
【図５】
2019168241.tif 000007
【図６】
2019168241.tif 000008
【図７】
2019168241.tif 000009
【図８】
2019168241.tif 000010
【図９】
2019168241.tif 000011
【図１０】
2019168241.tif 000012
【図１１】
2019168241.tif 000013
【図１２】
2019168241.tif 000014
【図１３】
2019168241.tif 000015
【図１４】
2019168241.tif 000016
【図１５】
2019168241.tif 000017
【図１６】
2019168241.tif 000018
【図１７】
2019168241.tif 000019
【図１８】
2019168241.tif 000020
【図１９】
2019168241.tif 000021